(57)【特許請求の範囲】
【請求項１】
第１側辺と、該第１側辺に対し垂直に延びる第２側辺と、該第１及び第２側辺と交差して直角三角形の斜辺を形成する第３側辺とを含む平板状部材と、
該第３側辺から内側に間隔を空けて配置され、該第３側辺に平行な少なくとも１つの直線状の辺によって境界が定められている細長開口部と、
該細長開口部の該少なくとも１つの直線状の辺に沿って形成される第１隅木谷木罫引き目盛と、
該細長開口部の該少なくとも１つの直線状の辺に平行な第１内側側辺を有する開口部と、
該第１内側側辺に沿って形成されている第２隅木谷木罫引き目盛とを有し、
該第１隅木谷木罫引き目盛が、ライズ値と度数値の内の１つを使って規定され、該第２隅木谷木罫引き目盛が、該ライズ値と度数値の内の他の１つを使って規定されていることを特徴とする建築者の測定及び罫引き工具。
【請求項２】
更に、該細長開口部の第２の直線状の辺に沿って形成されている、ライズ値を使って規定された普通垂木罫引き目盛を有する、請求項１に記載の建築者の測定及び罫引き工具。
【請求項３】
該第２側辺を工作物上を伸張するように配置するときに、該工作物に当接するための、該第１側辺に沿う当接手段を更に備えている、請求項２に記載の建築者の測定及び罫引き工具。
【請求項４】
材木の標準的な幅に相当する所定の距離を含む、該第１側辺からの距離を罫引くための、該第２側辺に沿って形成されている距離罫引き目盛を更に有する、請求項２に記載の建築者の測定及び罫引き工具。
【請求項５】
普通垂木の鉛直線に対する度数値を規定するための、該第３側辺に沿って形成されている角度罫引き目盛を更に有する、請求項２に記載の建築者の測定及び罫引き工具。
【請求項６】
該第２側辺から内側に間隔を空けて配置されており、該第２側辺に平行な少なくとも１つの罫書き辺を有し、該少なくとも１つの罫書き辺が、該第１側辺からの該所定の距離に少なくとも１つの欠刻を含んでいる、罫書き棒状部を更に有する、請求項４に記載の建築者の測定及び罫引き工具。
【請求項７】
該開口部が更に、該平板状の部材の該第１側辺に平行な第２内側側辺と、該第２内側側辺に沿って形成され、該平板状の部材の該第２側辺からの距離を表示している直線状の罫引き目盛を含んでいる、請求項１に記載の建築者の測定及び罫引き工具。
【請求項８】
該開口部が更に、該平板状の部材の該第２側辺に平行で、該第２側辺から内側に、間柱の標準的な寸法に相当する所定の距離に間隔を空けて配置されている第３内側側辺を有する、請求項７に記載の建築者の測定及び罫引き工具。
【請求項９】
該罫書き棒状部が、該第２側辺から内側に、間柱の標準的な寸法の半分に相当する所定の距離に間隔を空けて配置されている少なくとも１つの罫書き辺を有する、請求項６に記載の建築者の測定及び罫引き工具。
【請求項１０】
直角三角形を有し、第１側辺と、該第１側辺に対し垂直に伸張する第２側辺と、該第１及び第２側辺と交差して該直角三角形の斜辺を形成する第３側辺とを含み、該第１側辺と前記第２側辺の交点が枢軸点を画定する、平板状の部材と、
該第２側辺が工作物上を伸張するように配置するときに、前記工作物に当接させるための、該第１側辺に相当接手段と、
材木の標準的な幅に相当する所定の距離を含む、該第１側辺からの距離を規定するための、該第２側辺に沿って形成されている距離罫引き目盛と、
普通垂木の鉛直線に対する度数値を規定するための、該第３側辺に沿って形成されている角度罫引き目盛と、
該第２側辺に平行な少なくとも１つの罫書き辺を有する該第２側辺から内側に間隔を空けて配置されている罫書き棒状部であって、前記少なくとも１つの罫書き辺が、該第１側辺から前記所定の距離に少なくとも１つの欠刻を含む、罫書き棒状部と、
該第３側辺から内側に間隔を空けて配置されており、該第３側辺に平行な相対する直線状の辺によって境界が定められている細長開口部と、
普通垂木の鉛直線に対してライズ値を規定するための、該細長開口部の第１の直線状辺に沿って形成されている垂木罫引き目盛と、
隅木谷木の鉛直線に対してライズ値及び度数値の内の１つを規定するための、該細長開口部の第２の直線状の辺に沿って形成されている第１隅木谷木罫引き目盛と、
直角三角形の開口部であって、互いに直角に交差する第１内側側辺及び第２内側側辺と、該直角三角形開口部の斜辺となる第３内側側辺とを有し、該第３内側側辺が該細長開口部の相対する直線状の辺に平行である、開口部と、
該ライズ値及び該度数値の内の他の１つを規定するための、該第３内側側辺に沿って形成される第２隅木谷木罫引き目盛と、
該第１内側側辺に沿って規定され、該第２側辺からの距離を表示する直線状の罫引き目盛と、
を有する建築者の測定及び罫引き工具。
【発明の詳細な説明】
【背景技術】
【０００１】
本出願は、３５合衆国法典ξ１１９（ｅ）の利益を主張し、２００３年３月７日出願の米国特許仮出願第６０／４５３，０９９号を参照し本発明の一部とするものである。
【技術分野】
【０００２】
本発明は、屋根ふき又は構造物の骨組みに使用するための屋根ふき用直角定規の様な測定及び罫引き用工具の分野に関する。
様々な三角形の屋根ふき用直角定規が基本的な屋根の建築に使用されることは既知である。これらを使えば、大工は、普通垂木や、隅木及び谷木を含め、屋根の骨組みを作るための様々な種類の垂木を測定し切断することができる。例えば、既知の屋根ふき用直角定規を使えば、ユーザーは、ライズ測定用の物差しのような１つの測定物差しだけを使って、隅木及び谷木の垂直切断印を付けることができる。
【０００３】
更に、既知の屋根ふき用直角定規を使えば、大工は、直角定規の特定の造形部を鉛直線と整列させることによって垂木に水平、即ち、シートカットの切り欠きを罫引くことができる。この造形部の唯一の目的は、シートカットの切り欠きを罫引くことである。異なる機能を実施するための別の構造を直角定規に加えるとすれば、シートカット切り欠き造形部の位置と形状を変更する必要が生じるであろう。これは、大工が、造形部を鉛直線と正確に整列させるのをより困難にするので、シートカット切り欠き造形部の効果に悪影響を与える。
【０００４】
従って、屋根の骨組みを作るための垂木に様々な種類の切断部を罫引くための簡単で効果的な手段を有する屋根ふき用直角定規が必要とされてきた。
（発明の概要）
【０００５】
本発明のひとつの態様では、建築者の測定及び罫引き工具を提供している。この工具は、第１側辺と、第１側辺に対し垂直に延びる第２側辺と、第１及び第２側辺と交差して直角三角形の斜辺を形成する第３側辺とを含む直角三角形を有する平板状の部材を備えている。本工具は、また、第３側辺から内側に間隔を空けて配置され、第３側辺に平行した少なくとも１つの直線状の辺によって境界が定められている細長開口部を備えている。本工具は、更に、細長開口部の少なくとも１つの直線状の辺に沿って形成されている第１隅木谷木罫引き目盛を備えている。更に、本工具は、細長開口部の少なくとも１つの直線状の辺に平行な第１内側側辺と、第１内側側辺に沿って形成されている第２隅木谷木罫引き目盛とを有する開口部を備えている。
【０００６】
本発明の別の態様でも、建築者の測定及び罫引き工具を提供している。この工具は、第１側辺と、第１側辺に対し垂直に延びる第２側辺と、第１及び第２側辺と交差して直角三角形の斜辺を形成する第３側辺とを含む直角三角形を有する平板状の部材を備えている。本工具は、更に、第３側辺から内側に間隔を空けて配置され、第３側辺に平行な相対する直線状の辺によって境界が定められている細長開口部を備えている。本工具は、更に、第２側辺から内側に間隔を空けて配置され、第２側辺に平行な少なくとも１つの罫書き辺を有する罫書き棒状部を備えている。罫書き辺は、第１側辺から所定の距離に少なくとも１つの欠刻を含んでいる。更に、本工具は、互いに直角に交差する第１内側側辺及び第２内側側辺と、直角三角形開口部の斜辺となる第３内側側辺とを有する直角三角形形状の開口部を備えている。第３内側側辺は、細長開口部の相対する直線状の辺に平行である。
【０００７】
本発明の更に別の態様でも、建築者の測定及び罫引き工具を提供している。この工具は、第１側辺と、第１側辺に対し垂直に延びる第２側辺と、第１及び第２側辺と交差して直角三角形の斜辺を形成する第３側辺とを含む直角三角形を有する平板状の部材を備えている。第１側辺と第２側辺の交点が枢軸点である。本工具は、更に、第２側辺が工作物上をわたって配置されるときに、工作物に当接させる、第１側辺に沿った当接手段を備えている。本工具は、更に、第１側辺からの距離を印すための、材木の標準的な幅に相当する所定の距離を含む第２側辺に沿って形成されている距離罫書き目盛を備えている。本工具は、更に、普通垂木の鉛直線に対する度数値を規定するための、第３側辺に沿って形成されている角度罫書き目盛を備えている。本工具は、更に、第２側辺から内側に間隔を空けて配置されている罫書き棒状部を備えている。罫書き棒状部は、第２側辺に平行な少なくとも１つの罫書き辺を有している。罫書き辺は、材木の標準的な幅に相当する第１側辺からの所定距離に、少なくとも１つの欠刻を含んでいる。本工具は、更に、第３側辺から内側に間隔を空けて配置され、第３側辺に平行な相対する直線状の辺によって境界が定められている細長開口部を備えている。本工具は、更に、垂木の鉛直線に対してライズ値を規定するための、細長開口部の第１の直線状の辺に沿って形成されている垂木罫引き目盛を備えている。本工具は、更に、隅木及び谷木の鉛直線に対してライズ値及び度数値を規定するための、細長開口部の第２の直線状の辺に沿って形成されている第１隅木谷木罫引き目盛を備えている。本工具は、更に、互いに直角に交差する第１内側側辺及び第２内側側辺と、直角三角形開口部の斜辺となる第３内側側辺とを有する直角三角形形状の開口部を備えている。第３内側側辺は、細長開口部の相対した直線状の辺に平行である。本工具は、更に、ライズ値及び度数値の内の他の１つを規定するための、第３内側側辺に沿って形成されている第２隅木谷木罫引き目盛を備えている。本工具は、更に、第１内側側辺に沿って形成され、第２側辺からの距離を表示している直線状罫引き目盛を備えている。
【０００８】
本発明の更に別の態様では、建築者の測定及び罫引き工具を使ってシートカット切り欠きを工作物に罫引く方法を提供している。この工具は、直角三角形を有する平板状の部材であって、第１側辺及び第１側辺に対して垂直に延びる第２側辺と、第１側辺に沿う当接手段と、第１側辺からの距離を印すための、材木の標準的な幅に相当する所定の距離を含み第２側辺に沿って形成されている距離罫引き目盛と、第２側辺から内側に間隔を空けて配置され、第１側辺から所定の距離に配置されている少なくとも１つの欠刻を含む、第２側辺に平行な少なくとも１つ罫書き辺を有する罫書き棒状部と、を有する。本方法は、工作物に鉛直線を引く段階と；建築者の測定及び罫引き工具を、工作物上に、当接手段を工作物の側辺に沿わせて配置する段階と；建築者の測定及び罫引き工具を、工作物の側辺に沿って、所定の距離を示す距離罫引き目盛が鉛直線と重なるまで滑動させる段階と；建築者の測定及び罫引き工具を、第１側辺と第２側辺の交点で画定される枢軸点を中心として、鉛直線が、所定の距離を示す距離罫引き目盛と、第１側辺から所定の距離に配置されている罫書き棒の欠刻の両方と交差するまで、回転させる段階と；シートカット切り欠き切断線を、工具の第２の直線状の辺に沿って、鉛直線から工作物の側辺まで罫引く段階を含んでいる。
【発明を実施するための最良の形態】
【０００９】
本発明による建築者の測定及び罫引き工具２は、図１と図２に示される。代表的な工具２には、メートル法測定単位を画定する様々な目盛が設けられている。しかしながら、容易に理解頂けるように、メートル法の尺度が本発明を実施するための唯一の測定尺度ではなく、工具２には、英国の測定単位インチの様な他の測定単位を画定する目盛を使用することもできる。
【００１０】
図１に示すように、建築者の測定及び罫引き工具２は、時には屋根ふき用直角定規とも呼ばれる直角三角形の周辺形状を有する平板状部材４を備えており、第１側辺６と第２側辺１０が、それぞれの第１端部８と第１端部１２で互いに直角に交わり、枢軸点９を形成している。平板状部材４は、更に、直角三角形工具２の斜辺を形成する、対向する端部１６及び２０を有する第３側辺１４を有している。第３側辺１４は、一方の端部１６で、第１側辺６と第１側辺の反対側の端部１８で交差しており、その反対側の端部２０で、第２側辺１０と第２側辺の反対側の端部２２で交差している。
【００１１】
測定及び罫引き工具２は、図２に示すように、一方の方向に面する第１平面２４と、反対の方向に面する第２平面２６を有しており、両平面は平行で、例えば、約十六分の三インチから四分の一インチの距離だけ離れた面である。第１の平滑で直線状の壁面２８は、そのような両平面の間を第２側辺１０に沿って延び罫引き辺を形成し、この罫引き辺に沿って鉛筆を滑らせ直線状の平滑な線を引くことができるようになっている。第２の平滑で直線状の壁面３０は、両平面の間を第３側辺１４に沿って延び、これも工具２のこの側辺に沿って平滑な罫引き辺を形成している。
【００１２】
図２に示されるように、Ｔ字型の棒３２は、第１側辺６に沿って設けられており、第１平面２４から垂直に、これに向かって内向きに向いた、約四分の一インチの短い距離だけ外方向に突出する平面を有する第１棚状突起３４と、第２の反対向きの平面２６から垂直に、これに向かって内向きに向いた、約四分の一インチの短い距離だけ外方向に突出する平面を有する第２棚状突起３６とを有している。Ｔ字棒３２は、外方向に工具２から遠ざかる方向に向いた反対側平面３８を有している。第１及び第２第２棚状突起３４と３６のこれらの寸法は、実例であって、限定を加えるものではない。当業者には容易に分かることであるが、Ｔ字棒３２は、別の寸法でもよく、第１側辺６が当たるストッパになるのであれば、棚状突起３４及び３６の代わりの当接手段として、他の突出部、リップ又はフランジを用いてもよい。
【００１３】
図１に戻るが、第２側辺１０は、第１側辺６の端部８に隣接する端部１２を起点とする距離罫引き目盛４０をその側辺に沿って有している。本実施形態では、距離罫引き目盛４０は、第１平面２４と第２平面２６の両方に、０．５センチメートル刻みで形成されており、数字は、第１側辺６の端部８から最初の１センチメートル離れていることを示す数字１で始まり、それぞれ順次対応するセンチメートルを示している。
【００１４】
斜辺即ち第３側辺１４には、角度罫引き目盛４２が、第１平面２４と第２平面２６の両方に、その側辺に沿って形成されている。本実施形態では、角度罫引き目盛４２は、第１側辺６の端部１８に隣接する第３側辺の端部１６から始まる度数の尺度を画定している。
【００１５】
本発明による測定及び罫引き工具２は、更に、第２側辺１０に平行に配置され、そこから内側に、例えば約八分の五インチの距離だけ間隔を空けて配置される罫書き棒状部４４を含んでいる。罫書き棒状部４４は、平行な罫書き辺４４ａ及び４４ｂによって境界が定められており、各辺は、第２側辺１０に沿って形成されている距離罫引き目盛４０に対応する欠刻４６を有している。本実施形態では、連続する欠刻４６は、罫書き辺４４ａと４４ｂの間で互い違いになっており、連続する欠刻４６の間の０．５センチメートルの増加を定めている。この形状構成は、また、罫書き辺４４ａと４４ｂに形成されている隣接する欠刻４６の間が１センチメートルとなっている。罫書き棒状部４４は、第１側辺６の端部８から、１０．５センチメートルの距離、即ち製材又は材木の標準的なメートル法の幅、に形成されている罫引き目盛４０ａに対応する欠刻４６ａを含んでいる。
【００１６】
本発明による測定及び罫引き工具２は、平行する直線状の辺５２と５４によって境界を定められている細長開口部５０を含んでいる。この開口部は、直角定規２の斜辺即ち第３側辺１４に平行であり、そこから内側に、例えば約１と４分の１インチの距離だけ間隔を空けて配置されている。第１隅木谷木罫引き目盛５８は、第１平面２４と第２平面２６の両方に、細長開口部５０の直線状の辺５２に沿って形成されている。本実施形態では、例えば、第１隅木谷木罫引き目盛５８は、隅木及び谷木の鉛直線を測定するため度数の尺度を規定している。
【００１７】
普通垂木罫引き目盛５６は、普通垂木に対する鉛直線を測定するために、第１平面２４と第２平面２６の両方に、細長開口部５０の直線状の辺５４に沿って形成されている。本実施形態では、例えば、普通垂木罫引き目盛５６は、垂木の水平距離１０センチメートル毎に上昇するセンチメートル高さに相当するライズ値の尺度を規定している。
【００１８】
測定及び罫引き工具２は、更に、互いに直角に交わる第１内側側辺６２及び第２内側側辺６４と、斜辺となる第３内側側辺６６とを有する直角三角形形状のほぼ三角形の開口部６０を含んでいる。斜辺即ち第３内側側辺６６は、細長開口部５０の直線状の辺５２及び５４に平行であり、直線状の辺５４から、例えば約４分の３インチの距離だけ間隔を空けて配置されている。三角形開口部６０の第１内側側辺６２は、工具２の第１内側側辺６に平行であり、その内側に、例えば約８分の５インチの距離だけ間隔を空けて配置されている。三角形開口部６０の第２内側側辺６４は、工具２の第２側辺１０に平行であり、そこから内側に、例えば２インチの距離だけ間隔を空けて配置されている。特に、第２内側側辺６４は、第２側辺１０から内側に、製材又は材木の標準的なメートル法の間柱の寸法に相当する距離だけ間隔を空けて配置されている。更に、罫書き棒状部４４の罫書き辺４４ａは、第２側辺１０から内側に、製材又は材木の標準的なメートル法の間柱の寸法の半分に相当する距離だけ間隔を空けて配置されている。
【００１９】
第２の隅木谷木罫引き目盛６８は、隅木及び谷木に鉛直線を測定するために、第１平面２４と第２平面２６の両方に、三角形開口部６０の斜辺である第３内側側辺６６に沿って形成されている。本実施形態では、第２の隅木谷木罫引き目盛６８は、第１の隅木谷木罫引き目盛５８とは異なる尺度、例えば、垂木の水平距離約１４センチメートル毎に上昇するセンチメートル高さに相当するライズ値の尺度を規定している。切り込み７０と７２は、それぞれ、ユーザーが、第３内側側辺６６の両端付近に形成されている第２隅木谷木罫引き目盛６８を使って隅木及び谷木に測定値を罫引きできるように、第１及び第２の内側側辺６２及び６４と交差している斜辺即ち第３内側側辺６６の両端に形成されているのが望ましい。
【００２０】
直線状の罫引き目盛７４は、直角定規２の互いに反対方向を向く平面２４と２６両方に、三角形開口部６０の第１内側側辺６２に沿って形成され、内側側辺６２沿って工具２の第２側辺１０からの距離を表す印で始まっている。本実施形態では、例えば、直線状の罫引き目盛７４は、１センチメートル刻みで形成されており、数字は、第２側辺１０から６センチメートル離れていることを示す数字６で始まり、それぞれ順次対応するセンチメートルを示している。
【００２１】
詳述された本発明による測定及び罫引き工具２の１つの使用法は、普通垂木として用いられる製材又は材木に、業界でバーズマウスと呼ばれている三角形の切り欠きを罫引くことである。この部分は切除され、普通垂木が母屋の壁面から所望の角度で斜め上方向に伸張するとき、母屋の壁面を受け入れ、そこに据える切り欠きである。図３は、工作物１０２のバーズマウス１０６を示している。バーズマウス１０６の一方の側辺は、母屋の垂直の側壁に当接し垂直に伸張し、バーズマウスの他方の側辺は、水平方向に伸張し、母屋の上向きで水平方向に伸張する面の上に据えられる。
【００２２】
図４に示すように、先ず鉛直線１００が、普通垂木に加工されることになる工作物１０２に引かれる。この場合、鉛直線１００は、普通垂木を所定の位置に配したときに垂直になる。鉛直線１００を罫引くには、ユーザーは、工具２を工作物１０２の上に、Ｔ字棒３２を工作物１０２の側辺１０４に沿って押し付けて配置し、工具を工作物上の所望の位置まで滑動させる。工具は、第１側辺６の端部１８が、普通垂木罫引き目盛５６の所望のライズ値が側辺１０４と整列するまで、工作物１０２の側辺１０４から離れる方向に、枢軸点９を中心に回される。或いは、ユーザーは、工具を、角度罫引き目盛４２の所望の度数値が側辺１０４と整列するまで、側辺１０４から離れる方向に回転させてもよい。普通垂木の鉛直線１００は、工具２の第２側辺１０に沿って引かれる。
【００２３】
次に、工具２を裏返して工作物１０２の上に、バーズマウス１０６を切り欠くことになる工作物１０２の側辺１０４に沿ってＴ字棒３２を押し付けて配置する。直角定規２の第２側辺１０は、工作物の内側に伸張し、距離罫引き目盛４０の１０．５センチメートルの目盛４０ａを、製材又は材木の標準的なメートル法の幅に相当する１０．５センチメートルの距離だけ内側に配置する。ユーザーは、工具２を、工作物１０２の辺１０４に沿って、１０．５センチメートルの目盛４０ａが鉛直線１００と重なるまで滑動させる。次に、図５に示すように、直角定規２を、枢軸点９を中心として、１０．５センチメートルの目盛４０ａが垂直線１００に重なった状態で、垂直線１００が、１０．５センチメートルの目盛４０ａ及び罫書き棒状部４４の対応する欠刻４６ａと交差するまで、回転させる。
【００２４】
直角定規２をこの位置まで回転させると、第２側辺１０は、垂直線１００に対して垂直に伸張する。次に、切断線１０８を、第２側辺１０に沿って垂直線１００から工作物１０２の辺１０４まで引く。この切断線１０８は、垂直線１００に対し直角に伸張する。次に、バーズマウス１０６を、図５に示すように、切断線１０８と、鉛直線１００上を工作物１０２の辺１０４から前述の切断線１０８との交点まで切断する。このようにすると、垂木が母屋から正しい対角位置で所望の角度で伸張するとき、垂直線１００に沿うバーズマウス１０６の部分は、母屋の垂直の辺と垂直に当接し、切断線１０８に沿って切断された部分は、母屋の水平な面と水平に当接しこれに載る。
【００２５】
詳述された本発明による測定及び罫引き工具２の別の使用法は、第１及び第２の隅木谷木罫引き目盛５８と６８を使って隅木及び谷木に鉛直線を罫引くことである。具体的には、工具２を、工作物の上に、Ｔ字棒３２を工作物の側辺に沿って押し付けた状態に配置する。工具２を、枢軸点９を中心に、第２隅木谷木罫引き目盛６８の所望のライズ値が工作物の側辺と整列するか、第１隅木谷木罫引き目盛５８の所望の度数値が工作物の側辺と整列するまで、第１側辺６の端部１８が工作物の側辺から離れる方向に回す。隅木谷木の垂直線が、工作物上に、工具２の第２側辺１０に沿って引かれる。
【００２６】
詳述された本発明による測定及び罫引き工具２は、工作物の辺に垂直な線又は工作物の辺に平行な線を罫書くのに用いることもできる。具体的には、工具２を、工作物の上に、Ｔ字棒３２を工作物の側辺に沿って押し付けた状態に配置する。垂直線を罫書くには、ユーザーは、工作物上に、工具２の第２側辺１０に沿って線を引く。平行線を罫書くには、ユーザーは、罫書き棒４４の欠刻４６に鉛筆を置き、Ｔ字棒３２を側辺に沿って押し付けたまま、工具２を工作物の側辺に沿って滑動させる。
【００２７】
更に、詳述された本発明による測定及び罫引き工具２は、製材又は材木に対応する標準的な間柱の寸法に対応する、例えば敷板のような工作物の辺に垂直な一対の線を罫書くのに用いることもできる。具体的には、工具２を、工作物の上に、Ｔ字棒３２を工作物の側辺に沿って押し付けた状態に配置する。ユーザーは、工作物上に、工具２の第２側辺１０に沿って第１線を引き、三角形開口部６０の第２内側側辺６４に沿って第２線を引く。第１及び第２線は、工作物上の間柱の配置を描く。ユーザーは、罫書き棒４４の罫書き辺４４ａに沿って工作物上に線を引くことによって、間柱の中心線を罫書くこともできる。
【００２８】
更に、詳述された本発明による測定及び罫引き工具２は、鋸ガイドとして使用することもできる。例えば、ユーザーは、普通垂木又は隅木谷木に鉛直線を罫引くのに、上述の方法で、枢軸点９を工作物の側辺に沿って押し付けた状態で、工具２を工作物の上に配置することができる。次に、ユーザーは、鋸を工具２の側辺１０に沿って走らせて工作物に所望の切断を施すことができる。当業者には理解頂けるように、工具２は、更に、工具の斜辺即ち第３側辺１４に沿って形成されている角度罫引き目盛４２を使って様々な角度をレイアウト又は測定するためのプロテクターか、或いは工作物を９０度の角度と４５度の角度に整列させる留め継ぎ用定規として使用することもできる。
【００２９】
本発明を、特定の例示となる実施形態を参照して説明し、図示したが、本発明は、これら例示の実施形態に限定されるものではない。当業者には、特許請求の範囲に定義する本発明の真の範囲と精神から逸脱することなく、変更及び修正を加えることができることは、明らかなところである。従って、特許請求の範囲の内容とその等効物の範囲内の全ての変更及び修正は、本発明に含まれるものとする。
【図面の簡単な説明】
【００３０】
【図１】本発明による建築者の測定及び罫引き工具の平面図である。
【図２】図１の建築者の測定及び罫引き工具の部分立面図である。
【図３】普通垂木のバーズマウス、即ちシートカットを示している。
【図４】普通垂木に鉛直線を罫引くのに用いられる図１の建築者の測定及び罫引き工具の斜視図である。
【図５】普通垂木にシートカット、即ちバーズマウスを罫引くのに用いられる図１の建築者の測定及び罫引き工具の斜視図である。
【図１】
0004728223.tif 000002
【図２】
0004728223.tif 000003
【図３】
0004728223.tif 000004
【図４】
0004728223.tif 000005
【図５】
0004728223.tif 000006